(57)【要約】【課題】  状況に応じて着信報知レベルを変更可能な電子機器および着信報知レベル変更方法を提供する。【解決手段】  携帯電話２からの発信信号を着信するとともに、ユーザに着信を報知する報知部を有する端末群７に携帯電話２からの発信信号の着信を通知する。端末群７にて再生中の映像データに関する情報および携帯電話２のユーザに関する情報を用いて、前記報知部による端末群７のユーザへの報知の程度を示す着信通知レベルを決定し、携帯電話２による所定期間内の所定回数以上の発信、または端末群７による着信拒否動作に応じて、この着信通知レベルの値を変更する。【選択図】  図１
2009111918.tif 000002
【特許請求の範囲】
【請求項１】
第１の外部機器からの発信信号を着信するとともに、ユーザに着信を報知する報知部を有
する第２の外部機器に前記第１の外部機器からの発信信号の着信を通知する電子機器にお
いて、
前記第１の外部機器からの発信信号を着信する着信手段と、
前記着信手段による前記第１の外部機器からの発信信号の着信に応じて、前記第２の外
部機器にて再生中の映像データに関する情報および前記第１の外部機器のユーザに関する
情報を用いて、前記報知部による前記第２の外部機器のユーザへの報知の程度を示す着信
通知レベルを決定するレベル決定手段と、
前記第１の外部機器または前記第２の外部機器のアクションに応じて、前記レベル決定
手段によって決定された着信通知レベルを変更する変更手段と、
を具備することを特徴とする電子機器。
【請求項２】
前記着信手段による前記第１の外部機器からの発信信号の着信に応じて、前記第２の外部
機器にて再生中の映像データに関する情報を取得する取得手段と、
前記着信手段による前記第１の外部機器からの発信信号の着信に応じて、前記第１の外
部機器のユーザに関する情報を取得する第２の取得手段と、をさらに具備し、
前記レベル決定手段は、前記取得手段によって取得した前記第２の外部機器にて再生中
の映像データに関する情報および前記第２の取得手段によって取得した前記第１の外部機
器のユーザに関する情報を用いて、前記着信通知レベルを決定するレベル決定手段である
ことを特徴とする請求項１記載の電子機器。
【請求項３】
前記第２の外部機器のユーザへの前記第１の外部機器からの発信信号の着信についての報
知よりも前記再生中の映像データの前記第２の外部機器のユーザによる視聴を優先させる
優先度が割り当てられた複数の映像データに関する情報の中から、前記取得手段によって
取得した前記再生中の映像データに関する情報と合致する映像データに関する情報を選択
する優先度選択手段と、
前記第１の外部機器からの発信信号の前記第２の外部機器による受信についての重要度
が割り当てられた複数のユーザに関する情報の中から、前記第２の取得手段によって取得
した前記第１の外部機器のユーザに関する情報と合致するユーザに関する情報を選択する
重要度選択手段と、をさらに具備し、
前記レベル決定手段は、前記優先度選択手段によって選択された優先度が割り当てられ
た映像データに関する情報および前記重要度選択手段によって選択された重要度が割り当
てられたユーザに関する情報に応じて、前記着信通知レベルを決定するレベル決定手段で
あることを特徴とする請求項２記載の電子機器。
【請求項４】
前記レベル決定手段によって決定された前記着信通知レベルを前記第２の外部機器に通知
する通知手段をさらに具備し、
前記第２の外部機器のアクションは、前記着信通知レベルを受信した前記第２の外部機
器によって行われる前記第１の外部機器からの発信信号の着信を拒否する着信拒否動作で
あり、
前記変更手段は、この着信拒否動作に応じて、前記第１の外部機器からの発信信号の前
記第２の外部機器による受信についての重要度の値を高い値から低い値に変更する手段を
さらに具備することを特徴とする請求項１記載の電子機器。
【請求項５】
前記着信拒否動作に応じて、着信通知レベルを変更してもよいか否かを前記第２の外部機
器に確認する確認手段をさらに具備し、
前記変更手段は、前記確認手段によって前記第２の外部機器に着信通知レベルを変更し
てもよいことを確認したうえで、前記第１の外部機器からの発信信号の前記第２の外部機
器による受信についての重要度の値を高い値から低い値に変更することを特徴とする請求
項４記載の電子機器。
【請求項６】
前記通知レベルを変更してもよいか否かを前記確認手段によって前記第２の外部機器に確
認するか否かを設定する設定手段をさらに具備し、
前記変更手段は、前記通知レベルを変更してもよいか否かを前記確認手段によって前記
第２の外部機器に確認すると前記設定手段によって設定されている場合、前記確認手段に
よって前記第２の外部機器に着信通知レベルを変更してもよいことを確認したうえで前記
第１の外部機器からの発信信号の前記第２の外部機器による受信についての重要度の値を
高い値から低い値に変更し、前記通知レベルを変更してもよいか否かを前記確認手段によ
って前記第２の外部機器に確認すると前記設定手段によって設定されていない場合、前記
確認手段によって前記第２の外部機器に着信通知レベルを変更してもよいことを確認せず
に、前記第１の外部機器からの発信信号の前記第２の外部機器による受信についての重要
度の値を高い値から低い値に変更することを特徴とする請求項４記載の電子機器。
【請求項７】
前記第１の外部機器のアクションは、所定の時間内に発信信号を所定の回数発信する動作
であり、
前記変更手段は、前記レベル決定手段によって留守番電話録音を実行するように決定さ
れたものの、前記着信手段が所定の時間内に前記第１の外部機器からの発信信号を所定の
回数以上着信した場合、留守番電話録音を実行せずに、前記第２の外部機器の有する前記
報知部による前記第２の外部機器のユーザへの報知を実行するように変更することを特徴
とする請求項１記載の電子機器。
【請求項８】
前記所定の時間内に発信信号を所定の回数発信する動作に応じて、前記着信手段が所定の
時間内に前記第１の外部機器からの発信信号を所定の回数以上着信した場合、留守番電話
録音を実行せずに、前記第２の外部機器の有する前記報知部による前記第２の外部機器の
ユーザへの報知を実行してもよいか否かを前記第２の外部機器に確認する確認手段をさら
に具備し、
前記変更手段は、前記確認手段によって前記第２の外部機器に留守番電話録音を実行せ
ずに前記第２の外部機器の有する前記報知部による前記第２の外部機器のユーザへの報知
を実行することを確認したうえで、前記第２の外部機器に留守番電話録音を実行せずに前
記第２の外部機器の有する前記報知部による前記第２の外部機器のユーザへの報知するモ
ードに変更することを特徴とする請求項７記載の電子機器。
【請求項９】
前記着信手段が所定の時間内に前記第１の外部機器からの発信信号を所定の回数以上着信
した場合、留守番電話録音を実行せずに、前記第２の外部機器の有する前記報知部による
前記第２の外部機器のユーザへの報知を実行してもよいか否かを前記確認手段によって前
記第２の外部機器に確認するか否か設定する設定手段をさらに具備し、
前記変更手段は、前記着信手段が所定の時間内に前記第１の外部機器からの発信信号を
所定の回数以上着信した場合、留守番電話録音を実行せずに、前記第２の外部機器の有す
る前記報知部による前記第２の外部機器のユーザへの報知を実行してもよいか否かを前記
確認手段によって前記第２の外部機器に確認すると前記設定手段によって設定されている
場合、前記確認手段によって前記第２の外部機器に留守番電話録音を実行せずに前記第２
の外部機器の有する前記報知部による前記第２の外部機器のユーザへの報知を実行するこ
とを確認したうえで、前記第２の外部機器に留守番電話録音を実行せずに前記第２の外部
機器の有する前記報知部による前記第２の外部機器のユーザへの報知するモードに変更し
、前記着信手段が所定の時間内に前記第１の外部機器からの発信信号を所定の回数以上着
信した場合、留守番電話録音を実行せずに、前記第２の外部機器の有する前記報知部によ
る前記第２の外部機器のユーザへの報知を実行してもよいか否かを前記確認手段によって
前記第２の外部機器に確認すると前記設定手段によって設定されていない場合、前記確認
手段によって前記第２の外部機器に留守番電話録音を実行せずに前記第２の外部機器の有
する前記報知部による前記第２の外部機器のユーザへの報知を実行することを確認せずに
、前記第２の外部機器に留守番電話録音を実行せずに前記第２の外部機器の有する前記報
知部による前記第２の外部機器のユーザへの報知するモードに変更することを特徴とする
請求項８記載の電子機器。
【請求項１０】
前記着信通知のレベルを受信した前記第２の外部機器によって行われる前記第１の外部機
器からの発信信号を着信する着信操作に応じて、前記第１の外部機器からの発信信号の前
記第２の外部機器による受信についての重要度の値を判別する判別手段と、
前記判別手段によって判別された前記第１の外部機器からの発信信号の前記第２の外部
機器による受信についての重要度の値が高い値の場合に、前記第２の外部機器の音量を低
下させる信号を前記第２の外部機器に送信する送信手段と、
をさらに具備することを特徴とする請求項１記載の電子機器。
【請求項１１】
前記第２の電子機器が携帯型端末であるか否かを判別する手段と、
前記第２の電子機器が携帯型端末である場合、前記着信手段によって前記第１の外部機
器からの発信信号が着信された場合、前記第１の外部機器からの発信信号の前記第２の外
部機器による着信についての重要度の値を判別する手段と、をさらに具備し、
前記通知手段は、前記第１の外部機器からの発信信号の前記第２の外部機器による着信
についての重要度の値が高い値であると前記判別手段によって判別された場合に、携帯型
端末である第２の電子機器に前記着信通知レベルを通知する手段であることを特徴とする
請求項１記載の電子機器。
【請求項１２】
前記着信手段による前記第１の外部機器からの発信信号の着信に応じて、前記第２の外部
機器にてリアルタイムまたは追いかけ再生中の映像データが録画予約されているか否かを
示す情報を前記第２の外部機器から取得する取得手段と、
前記取得手段によって取得した情報が前記第２の外部機器にて再生中の映像データは録
画予約されていると示している場合、前記第２の外部機器への着信通知よりも前記再生中
の映像データの視聴を優先させる優先度の値を優先度の小さい値に設定する手段と、
を具備することを特徴とする請求項１記載の電子機器。
【請求項１３】
前記着信手段による前記第１の外部機器からの発信信号の着信に応じて、前記第２の外部
機器にて再生中の映像データが録画されたデータであるか否かを示す情報および録画時か
ら所定の期間内にて視聴されたデータであるか否かを示す情報を前記第２の外部機器から
取得する取得手段と、
前記取得手段によって取得された情報が前記第２の外部機器にて再生中の映像データが
録画されたデータであることを示し、かつ、前記録画時から所定の期間内にて視聴された
データであることを示さない場合、前記第２の外部機器への着信通知よりも前記再生中の
映像データの視聴を優先させる優先度の値を優先度の小さい値に設定する手段と、
を具備することを特徴とする請求項１記載の電子機器。
【請求項１４】
第１の外部機器からの発信信号を着信するとともに、ユーザに着信を報知する報知部を有
する第２の外部機器に前記第１の外部機器からの発信信号の着信を通知する電子機器にて
実行される、前記報知部による前記第２の外部機器のユーザへの報知の程度を示す着信通
知レベルの変更方法において、
前記第１の外部機器からの発信信号を着信し、
前記第１の外部機器からの発信信号の着信に応じて、前記第２の外部機器にて再生中の
映像データに関する情報および前記第１の外部機器のユーザに関する情報を用いて、前記
報知部による前記第２の外部機器のユーザへの報知の程度を示す着信通知レベルを決定し
、
前記第１の外部機器または前記第２の外部機器のアクションに応じて、前記決定された
着信通知レベルを変更すること特徴とする着信通知レベル変更方法。
【請求項１５】
前記第１の外部機器からの発信信号の着信に応じて、前記第２の外部機器にて再生中の映
像データに関する情報を取得し、
前記第１の外部機器からの発信信号の着信に応じて、前記第１の外部機器のユーザに関
する情報を取得し、
前記取得した前記第２の外部機器にて再生中の映像データに関する情報および前記取得
した前記第１の外部機器のユーザに関する情報を用いて、前記着信通知レベルを決定する
ことを特徴とする請求項１４記載の着信通知レベル変更方法。
【請求項１６】
前記第２の外部機器のユーザへの前記第１の外部機器からの発信信号の着信についての報
知よりも前記再生中の映像データの前記第２の外部機器のユーザによる視聴を優先させる
優先度が割り当てられた複数の映像データに関する情報の中から、前記取得した前記再生
中の映像データに関する情報と合致する映像データに関する情報を選択し、
前記第１の外部機器からの発信信号の前記第２の外部機器による受信についての重要度
が割り当てられた複数のユーザに関する情報の中から、前記取得した前記第１の外部機器
のユーザに関する情報と合致するユーザに関する情報を選択し、
前記選択された優先度が割り当てられた映像データに関する情報および前記選択された
重要度が割り当てられたユーザに関する情報に応じて、前記着信通知レベルを決定するこ
とを特徴とする請求項１５記載の着信通知レベル変更方法。
【請求項１７】
前記決定された前記着信通知レベルを前記第２の外部機器に通知し、
前記第２の外部機器のアクションは、前記通知された着信通知レベルを受信した前記第
２の外部機器によって行われる前記第１の外部機器からの発信信号の着信を拒否する着信
拒否動作であり、
この着信拒否動作に応じて、前記第１の外部機器からの発信信号の前記第２の外部機器
による受信についての重要度の値を高い値から低い値に変更することを特徴とする請求項
１４記載の着信通知レベル変更方法。
【請求項１８】
前記着信拒否動作に応じて、着信通知レベルを変更してもよいか否かを前記第２の外部機
器に確認し、
前記第２の外部機器に着信通知レベルを変更してもよいことを確認したうえで、前記第
１の外部機器からの発信信号の前記第２の外部機器による受信についての重要度の値を高
い値から低い値に変更することを特徴とする請求項１７記載の着信通知レベル変更方法。
【請求項１９】
前記通知レベルを変更してもよいか否かを前記第２の外部機器に確認するか否かを設定し
、
前記通知レベルを変更してもよいか否かを前記第２の外部機器に確認すると設定されて
いる場合、前記第２の外部機器に着信通知レベルを変更してもよいことを確認したうえで
前記第１の外部機器からの発信信号の前記第２の外部機器による受信についての重要度の
値を高い値から低い値に変更し、前記通知レベルを変更してもよいか否かを前記第２の外
部機器に確認すると設定されていない場合、前記第２の外部機器に着信通知レベルを変更
してもよいことを確認せずに、前記第１の外部機器からの発信信号の前記第２の外部機器
による受信についての重要度の値を高い値から低い値に変更することを特徴とする請求項
１８記載の着信通知レベル変更方法。
【請求項２０】
前記第１の外部機器のアクションは、所定の時間内に発信信号を所定の回数発信する動作
であり、
留守番電話録音を実行するように決定されたものの、所定の時間内に前記第１の外部機
器からの発信信号を所定の回数以上着信した場合、前記留守番電話録音を実行せずに、前
記第２の外部機器の有する前記報知部による前記第２の外部機器のユーザへの報知を実行
するように変更することを特徴とする請求項１４記載の着信通知レベル変更方法。
【請求項２１】
前記所定の時間内に発信信号を所定の回数発信する動作に応じて前記所定の時間内に前記
第１の外部機器からの発信信号を所定の回数以上着信した場合、留守番電話録音を実行せ
ずに前記第２の外部機器の有する前記報知部による前記第２の外部機器のユーザへの報知
を実行してもよいか否かを前記第２の外部機器に確認し、
前記第２の外部機器に留守番電話録音を実行せずに前記第２の外部機器の有する前記報
知部による前記第２の外部機器のユーザへの報知を実行することを確認したうえで、前記
第２の外部機器に留守番電話録音を実行せずに前記第２の外部機器の有する前記報知部に
よる前記第２の外部機器のユーザへの報知するモードに変更することを特徴とする請求項
２０記載の着信通知レベル変更方法。
【請求項２２】
前記所定の時間内に前記第１の外部機器からの発信信号を所定の回数以上着信した場合、
留守番電話録音を実行せずに、前記第２の外部機器の有する前記報知部による前記第２の
外部機器のユーザへの報知を実行してもよいか否かを前記第２の外部機器に確認するか否
か設定し、
前記所定の時間内に前記第１の外部機器からの発信信号を所定の回数以上着信した場合
、留守番電話録音を実行せずに、前記第２の外部機器の有する前記報知部による前記第２
の外部機器のユーザへの報知を実行してもよいか否かを前記第２の外部機器に確認すると
設定されている場合、前記第２の外部機器に留守番電話録音を実行せずに前記第２の外部
機器の有する前記報知部による前記第２の外部機器のユーザへの報知を実行することを確
認したうえで、前記第２の外部機器に留守番電話録音を実行せずに前記第２の外部機器の
有する前記報知部による前記第２の外部機器のユーザへの報知するモードに変更し、前記
所定の時間内に前記第１の外部機器からの発信信号を所定の回数以上着信した場合、留守
番電話録音を実行せずに、前記第２の外部機器の有する前記報知部による前記第２の外部
機器のユーザへの報知を実行してもよいか否かを前記第２の外部機器に確認すると設定さ
れていない場合、前記第２の外部機器に留守番電話録音を実行せずに前記第２の外部機器
の有する前記報知部による前記第２の外部機器のユーザへの報知を実行することを確認せ
ずに、前記第２の外部機器に留守番電話録音を実行せずに前記第２の外部機器の有する前
記報知部による前記第２の外部機器のユーザへの報知するモードに変更することを特徴と
する請求項２１記載の着信通知レベル変更方法。
【請求項２３】
前記着信通知のレベルを受信した前記第２の外部機器によって行われる前記第１の外部機
器からの発信信号を着信する着信操作に応じて、前記第１の外部機器からの発信信号の前
記第２の外部機器による受信についての重要度の値を判別し、
前記判別された前記第１の外部機器からの発信信号の前記第２の外部機器による受信に
ついての重要度の値が高い値の場合に、前記第２の外部機器の音量を低下させる信号を前
記第２の外部機器に送信することを特徴とする請求項１４記載の着信通知レベル変更方法
。
【請求項２４】
前記第２の電子機器が携帯型端末であるか否かを判別し、
前記第２の電子機器が携帯型端末である場合、前記第１の外部機器からの発信信号が着
信された場合、前記第１の外部機器からの発信信号の前記第２の外部機器による着信につ
いての重要度の値を判別し、
前記第１の外部機器からの発信信号の前記第２の外部機器による着信についての重要度
の値が高い値であると判別された場合に、携帯型端末である第２の電子機器に前記着信通
知レベルを通知することを特徴とする請求項１４記載の着信通知レベル変更方法。
【請求項２５】
前記第１の外部機器からの発信信号の着信に応じて、前記第２の外部機器にてリアルタイ
ムまたは追いかけ再生中の映像データが録画予約されているか否かを示す情報を前記第２
の外部機器から取得し、
前記取得された情報が前記第２の外部機器にて再生中の映像データは録画予約されてい
ると示している場合、前記第２の外部機器への着信通知よりも前記再生中の映像データの
視聴を優先させる優先度の値を優先度の小さい値に設定することを特徴とする請求項１４
記載の着信通知レベル変更方法。
【請求項２６】
前記第１の外部機器からの発信信号の着信に応じて、前記第２の外部機器にて再生中の映
像データが録画されたデータであるか否かを示す情報および録画時から所定の期間内にて
視聴されたデータであるか否かを示す情報を前記第２の外部機器から取得し、
前記取得された情報が前記第２の外部機器にて再生中の映像データが録画されたデータ
であることを示し、かつ、前記録画時から所定の期間内にて視聴されたデータであること
を示さない場合、前記第２の外部機器への着信通知よりも前記再生中の映像データの視聴
を優先させる優先度の値を優先度の小さい値に設定することを特徴とする請求項１４記載
の着信通知レベル変更方法。
【発明の詳細な説明】
【技術分野】
【０００１】
本発明は、視聴者が視聴している番組に関する情報および電話の発信者の重要度を考慮
して着信通知のレベルを決定する電子機器および着信通知レベル変更方法に関する。
【背景技術】
【０００２】
従来、例えばテレビ番組の視聴中に、着信した電話が重要度の高い相手からの電話であ
る場合や、視聴中の番組が重要度の低いものである場合、番組の視聴者に対して、番組の
視聴中であっても、優先度に応じて着信を報知する通信端末があった。
【特許文献１】特開２００５−１４２９７８号公報（第６頁、第２図）
【発明の開示】
【発明が解決しようとする課題】
【０００３】
上記特許文献１では、着信した電話の相手、または、視聴中の番組内容に応じて、着信
の報知または非報知する技術が開示されているが、着信を報知するように設定されている
ものの着信の報知を受けたくない場合、または、着信の報知を受けないように設定されて
いるものの、場合によっては着信の報知を行う場合がある。
【０００４】
例えば、番組を視聴中のユーザに着信を報知する状況であるが、このユーザが着信拒否
をしたい場合、または、番組視聴中のユーザに着信を報知しない状況であるが、発信者の
発信状況に応じてこのユーザに着信報知を行う場合等がある。
【０００５】
そこで、本発明は、状況に応じて着信通知レベルを変更可能な電子機器および着信報知
レベル変更方法を提供することを目的とする。
【課題を解決するための手段】
【０００６】
上記目的を達成するために、請求項１に関わる電子機器は、第１の外部機器からの発信
信号を着信するとともに、ユーザに着信を報知する報知部を有する第２の外部機器に前記
第１の外部機器からの発信信号の着信を通知する電子機器において、前記第１の外部機器
からの発信信号を着信する着信手段と、前記着信手段による前記第１の外部機器からの発
信信号の着信に応じて、前記第２の外部機器にて再生中の映像データに関する情報および
前記第１の外部機器のユーザに関する情報を用いて、前記報知部による前記第２の外部機
器のユーザへの報知の程度を示す着信通知レベルを決定するレベル決定手段と、前記第１
の外部機器または前記第２の外部機器のアクションに応じて、前記レベル決定手段によっ
て決定された着信通知レベルを変更する変更手段と、を具備することを特徴とする。
【０００７】
また、請求項１４に関わる着信通知レベル変更方法は、第１の外部機器からの発信信号
を着信するとともに、ユーザに着信を報知する報知部を有する第２の外部機器に前記第１
の外部機器からの発信信号の着信を通知する電子機器にて実行される、前記報知部による
前記第２の外部機器のユーザへの報知の程度を示す着信通知レベルの変更方法において、
前記第１の外部機器からの発信信号を着信し、前記第１の外部機器からの発信信号の着信
に応じて、前記第２の外部機器にて再生中の映像データに関する情報および前記第１の外
部機器のユーザに関する情報を用いて、前記報知部による前記第２の外部機器のユーザへ
の報知の程度を示す着信通知レベルを決定し、前記第１の外部機器または前記第２の外部
機器のアクションに応じて、前記決定された着信通知レベルを変更すること特徴とする。
【発明の効果】
【０００８】
本発明によれば、状況に応じて着信通知レベルを変更可能な電子機器および着信報知レ
ベル変更方法を提供することが可能となる。
【発明を実施するための最良の形態】
【０００９】
図１は、本発明を構成するシステム群の一例を示す図である。
【００１０】
携帯電話５とＤＶＤレコーダ３とはネットワーク１を介して接続される。ＤＶＤレコー
ダ３には端末群７が接続される。
【００１１】
端末群７は、携帯電話４、デジタルテレビ５およびコンピュータ６で構成される。
【００１２】
携帯電話５は、ネットワーク１を介して、ＤＶＤレコーダ３および端末群７側に、発信
番号、相手先電話番号等を含む発信信号を送信する発信端末である。
【００１３】
端末群７は、携帯電話５が送信した発信信号を受信する受信端末群である。例えば、端
末群７を構成する夫々の端末が利用される場所に応じて、端末群７を構成する端末の中の
適切な端末が受信端末となる。
【００１４】
端末群７がこのような受信端末としての役割を果たすためには、ネットワーク１が例え
ばＩＰ（Ｉｎｔｅｒｎｅｔ Ｐｒｏｔｏｃｏｌ）網であることが挙げられる。
【００１５】
ＤＶＤレコーダ３は、携帯電話５から送信された発信信号を受信し、所定の条件に基づ
いて端末群７に着信を通知する呼制御部の役割を果たす。ＤＶＤレコーダ３の呼制御部と
しての機能としては、後述にて詳細に説明する。
【００１６】
図２は、ＤＶＤレコーダ３の機能ブロック図の一例を示す図である。
【００１７】
ＤＶＤレコーダ３の有する制御部は、ＵＩ（Ｕｓｅｒ  Ｉｎｔｅｒｆａｃｅ）制御部３
０、ＶＯＩＰ（Ｖｏｉｃｅ  Ｏｖｅｒ  Ｉｎｔｅｒｎｅｔ  Ｐｒｏｔｏｃｏｌ）／音声制
御部３１、呼制御部３２およびストレージ制御部３３で構成される。
【００１８】
ＵＩ制御部３０は、ユーザーインターフェースに関係する制御のうち、上位に位置する
制御を実行する。
【００１９】
ＵＩ制御部３０に対して下位にディスプレイ／インプットデバイスドライバ３００が位
置する。ディスプレイ／インプットデバイスドライバ３００は、表示装置／入力装置３０
１を制御する。例えば、表示装置への表示制御、入力装置によるデータ入力制御等を実行
する。
【００２０】
表示装置／入力装置３０１の一例として、ディスプレイ、ＬＥＤ、入力キー等が挙げら
れる。
【００２１】
ＶＯＩＰ／音声制御部３１は、携帯電話２からネットワーク１を介して送信されてくる
発信信号、端末群７に対して送信する着信通知信号等の伝送の制御を実行する。
【００２２】
ＶＯＩＰ／音声制御部３１に対して下位にネットワークドライバ３１０，３１２が位置
する。ネットワークドライバ３１０，３１２は、夫々、ネットワークＩ／Ｆ（外部向）３
１１，ネットワークＩ／Ｆ（内部向）３１３を制御する。ネットワークＩ／Ｆ（外部向）
３１１には、ネットワーク１が接続され、ネットワークＩ／Ｆ（内部向）３１３には、端
末群７が接続される。
【００２３】
呼制御部３２は、ネットワーク１を介して携帯電話５から送信された信号の受信に応じ
て、所定の条件に基づいて端末群７に着信を通知する制御を実行する。
【００２４】
ストレージ制御部３３は、ストレージの動作の制御を実行する。
【００２５】
ストレージ制御部３３に対して下位にストレージドライバ３３０が位置する。ストレー
ジドライバ３３０は、ストレージデバイス３３１を制御する。ストレージデバイス３３１
の一例として、ＨＤＤ（Ｈａｒｄ  Ｄｉｓｋ  Ｄｒｉｖｅ）、光ディスク、フラッシュメ
モリ等が挙げられる。
【００２６】
図３は、端末群７の機能ブロック図の一例を示す図である。
【００２７】
図１を用いて説明したように、端末群７は携帯電話４、デジタルテレビ５およびコンピ
ュータ６で構成されている。図３に示す機能ブロック図を用いて、これら携帯電話４、デ
ジタルテレビ５およびコンピュータ６に共通する機能を説明する。
【００２８】
端末群７の有する制御部は、ＵＩ（Ｕｓｅｒ  Ｉｎｔｅｒｆａｃｅ）制御部７０、ＶＯ
ＩＰ（Ｖｏｉｃｅ  Ｏｖｅｒ  Ｉｎｔｅｒｎｅｔ  Ｐｒｏｔｏｃｏｌ）／音声制御部７１
、マイク／スピーカ制御部７２およびストレージ制御部７３で構成される。
【００２９】
ＵＩ制御部７０は、ユーザーインターフェースに関係する制御のうち、上位に位置する
制御を実行する。
【００３０】
ＵＩ制御部７０に対して下位にディスプレイ／インプットデバイスドライバ７００が位
置する。ディスプレイ／インプットデバイスドライバ７００は、表示装置／入力装置７０
１を制御する。例えば、表示装置への表示制御、入力装置によるデータ入力制御等を実行
する。
【００３１】
表示装置／入力装置７０１の一例として、ディスプレイ、ＬＥＤ、入力キー等が挙げら
れる。
【００３２】
ＶＯＩＰ／音声制御部７１は、呼制御部の役割を果たすＤＶＤレコーダ３から端末群７
に対して送信される着信通知信号の受信、ＤＶＤレコーダ３への信号の送信等の制御を実
行する。
【００３３】
ＶＯＩＰ／音声制御部７１に対して下位にネットワークドライバ７１０が位置する。ネ
ットワークドライバ７１０は、ネットワークＩ／Ｆ７１１を制御する。ネットワークＩ／
Ｆ７１１には、ＤＶＤレコーダ３が接続される。
【００３４】
マイク／スピーカ制御部７２は、集音するためのマイクおよび音を放出するスピーカに
関係する制御のうち、上位に位置する制御を実行する。
【００３５】
マイク／スピーカ制御部７２に対して下位にサウンドドライバ７２０が位置する。サウ
ンドドライバ７２０は、マイク７２１およびスピーカ７２２を制御する。例えば、マイク
７２１によって集められた音の電気信号化、スピーカ７０２にて放出するための電気信号
から物理振動（音）への変換等を実行する。
【００３６】
ストレージ制御部７３は、ストレージの動作の制御を実行する。
【００３７】
ストレージ制御部７３に対して下位にストレージドライバ７３０が位置する。ストレー
ジドライバ７３０は、ストレージデバイス７３１を制御する。ストレージデバイス７３１
の一例として、ＨＤＤ（Ｈａｒｄ  Ｄｉｓｋ  Ｄｒｉｖｅ）、光ディスク、フラッシュメ
モリ等が挙げられる。
【００３８】
次に、呼制御部の役割を果たすＤＶＤレコーダ３にて実行される、端末群７への着信通
知制御の一例について説明する。
【００３９】
図４は、端末群７への着信通知についての制御手順の一例を示す流れ図である。
【００４０】
以下の説明は、図２を用いて説明したＤＶＤレコーダ３に設けられている呼制御部３２
にて実行される処理である。
【００４１】
携帯電話１から送信された発信信号を受信したか否かを判断する（ステップ  Ｓ１００
）。携帯電話１から送信された発信信号を受信したと判断した場合（ステップ  Ｓ１００
Ｙｅｓ）、ＶＯＩＰ制御／音声制御部３１を介して、端末群７に対して、夫々の端末が
視聴中のコンテンツについての情報をＤＶＤレコーダ３に送信するように要求する（ステ
ップ  Ｓ１０１）。
【００４２】
ステップＳ１０１の要求に応じて端末群７からＤＶＤレコーダ３に情報が送信される。
例えば、図５に示すように、"携帯電話４にてリアルタイムでスポーツ番組を視聴"、"デ
ジタルテレビ５にて有料コンテンツである映画を視聴"、"コンピュータ６にて録画された
コンテンツであるバラエティ番組を視聴"といった情報がＤＶＤレコーダ３に送信される
。
【００４３】
ＤＶＤレコーダ３は、ステップＳ１０１の要求に応じて端末群７から送信されたこれら
の情報を受信する（ステップ  Ｓ１０２）。
【００４４】
さらに、呼制御部３２は、端末群７に、夫々の端末が有するアドレス帳に含まれる情報
をＤＶＤレコーダ３に送信するように要求する（ステップ  Ｓ１０３）。
【００４５】
ステップＳ１０３の要求に応じて端末群７からＤＶＤレコーダ３に情報が送信される。
例えば、図６に示すように、携帯電話４からＤＶＤレコーダ３に、携帯電話４の有するア
ドレス帳に含まれる情報（例えば、"友人の丸丸閥男さん"、"親・兄弟の丸参資角さん"、
"会社関係の東晋太郎さん"）が送信される。
【００４６】
ＤＶＤレコーダ３は、ステップＳ１０３の要求に応じて端末群７から送信されたこれら
の情報を受信する（ステップ  Ｓ１０４）
【００４７】
呼制御部３２は、ステップＳ１０１，１０３の呼制御部３２からの要求に応じて端末群
７が送信した情報を収集し、その収集した情報に基づいて、端末群７に送信する着信通知
のレベルを決定する（ステップ  Ｓ１０５）。このステップＳ１０５の処理については、
後述にて詳細に説明する。
【００４８】
呼制御部３２は、ＶＯＩＰ制御／音声制御部３１を介して、ステップＳ１０５にて決定
したレベルを有する着信通知を端末群７に送信する（ステップ  
Ｓ１０６）。次に、ステップＳ１０５にて呼制御部３２が決定する着信通知のレベルの一
例について説明する。
【００４９】
図７は、ステップＳ１０５にて呼制御部３２が着信通知のレベルを決定するために用い
るテーブルである。
【００５０】
ユーザは、図７に示すテーブルの内容の設定を、ＤＶＤレコーダ３と接続されているモ
ニタを用いて行うことが可能である。
【００５１】
図７のテーブルに示すように、「携帯電話５からの発信信号の着信についての端末群７
のユーザへの報知よりも、端末群７のユーザによる再生中のコンテンツの視聴を優先させ
る優先度の値」を決める。
【００５２】
例えば、端末群７にて再生されるコンテンツの属性が"スポーツ関係"であるならば、"
スポーツ関係"のコンテンツはリアルタイムで視聴されるべきであることを重視して、"ス
ポーツ関係"のコンテンツの視聴の優先度の値を"高"と設定することが可能である。
【００５３】
また、端末群７にて再生されるコンテンツの属性がレンタルＤＶＤといった"有料"のコ
ンテンツであるならば、"有料"のコンテンツはなるべく早めに視聴すべきであることを考
慮して、"有料"のコンテンツの視聴の優先度の値を"中"と設定することが可能である。
【００５４】
また、端末群７にて再生されるコンテンツの属性が"録画"されたコンテンツであるなら
ば、"録画"されたコンテンツは、別の時間でも視聴することが可能であることを考慮して
、"録画"されたコンテンツの視聴の優先度の値を"小"と設定することが可能である。
【００５５】
さらに、図７のテーブルに示すように、「呼制御部３２に発信信号を発信する発信端末
のユーザ（発信者）に対する端末群７のユーザにとっての重要度」を決める。
【００５６】
例えば、発信端末のユーザが"会社関係"の人であるならば、重要度の値を"高"と設定す
ることが可能である。
【００５７】
また、発信端末のユーザが"友人関係"であるならば、重要度の値を"中"と設定すること
が可能である。
【００５８】
また、発信端末のユーザが"親・兄弟関係"であるならば、重要度の値を"小"と設定する
ことが可能である。
【００５９】
ＤＶＤレコーダ３を用いて、"視聴するコンテンツの属性に対して割り当てられた優先
度の値"および"発信者の属性に対して割り当てられた重要度の値"を設定した後、これら
の２つのパラメータの値を考慮して、ユーザは、端末群７に対して送信する着信通知のレ
ベルの値を設定する。
【００６０】
例えば、図７のテーブルに示すように、優先度の値を"高"と設定したコンテンツ（図７
のテーブル中の"スポーツ関係"）を端末群７中の端末で視聴している時に、重要度の値を
"高"と設定した発信者（図７のテーブル中の"会社関係"）から発信信号が呼制御部３２に
送信された場合に、呼制御部３２は、視聴の優先度の値が"高"と設定されたコンテンツを
再生している端末群７中の端末に対して、レベル１の着信通知を送信する。
【００６１】
さらに、図７のテーブルに示すように、優先度が"高"と設定されたコンテンツ（図７の
テーブル中の"スポーツ関係"）を端末群７で視聴している時に、重要度が"低"と設定され
た発信者（図７のテーブル中の"親・兄弟関係"）から発信信号が呼制御部３２に発信され
た場合に、呼制御部３２は優先度が"高"と設定されたコンテンツを再生している端末群７
中の端末に対して着信通知を送信せずに留守番電話録音を実行する。
【００６２】
このように"優先度"および"重要度"のパラメータの設定値を考慮した着信通知のレベル
の値がユーザによって設定される。
【００６３】
呼制御部３２は、ユーザによって設定された値を有するテーブルを用いて、図４の流れ
図のステップＳ１０５にて着信通知のレベルを決定する。次に、着信通知のレベルの値に
ついて説明する。
【００６４】
図８は、着信通知のレベルの値の一例を示すテーブルである。
【００６５】
ユーザは、図８に示すテーブルの内容の設定を、ＤＶＤレコーダ３と接続されているモ
ニタを用いて行うことが可能である。
【００６６】
呼制御部３２から送信され端末群７が受信する着信通知のレベルの値の一つである"レ
ベル３"は、端末群７に設けられる"スピーカから着信音を放出"、"ＬＣＤに発信者名、発
信者の番号表示"、"ＬＥＤを点滅"させる着信通知レベルである。
【００６７】
また、着信通知のレベルの値の一つである"レベル２"は、端末群７に設けられる"スピ
ーカから着信音を放出しない"が、"ＬＣＤに発信者名、発信者の番号表示"、"ＬＥＤを点
滅"させる着信通知レベルである。
【００６８】
また、着信通知のレベルの値の一つである"レベル１"は、端末群７に設けられる"スピ
ーカから着信音を放出しない"、"ＬＣＤに発信者名、発信者の番号表示させない"が、"Ｌ
ＥＤを点滅"させる着信通知レベルである。
【００６９】
また、着信通知のレベルの値の一つである"留守番電話録音"は、携帯電話５からの発信
内容をＤＶＤレコーダ３にて録音する、レベルである。
【００７０】
次に、図４を用いて説明したステップＳ１０３の処理の一例について詳細に説明する。
【００７１】
図９は、図４のステップＳ１０３の処理について詳細に説明する流れ図である。
【００７２】
呼制御部３２は、図４のステップＳ１０１、Ｓ１０３の端末群７への要求によって収集
した、"夫々の端末にて再生中のコンテンツについての情報"、"夫々の端末が有するアド
レスについての情報"および、図７のテーブルを用いて、以下の処理を実行する。
【００７３】
ステップＳ１０１にて収集した"夫々の端末にて再生中のコンテンツについての情報"お
よび図７のテーブルを用いて、端末にて再生されているコンテンツに割り当てられている
優先度が"低"であるか否かを判断する（ステップ  Ｓ２００）。
【００７４】
端末にて再生されているコンテンツに割り当てられている優先度が"低"の場合（ステッ
プ  Ｓ２００  Ｙｅｓ）、ステップＳ１０２にて収集した"夫々の端末が有するアドレス
についての情報"および図７のテーブルを用いて、発信者の重要度が"高"であるか否かを
判断する（ステップ  Ｓ２０１）。
【００７５】
発信者の重要度が"高"である場合（ステップ  Ｓ２０１  Ｙｅｓ）、ステップＳ２００
にて優先度"高"と判断したコンテンツを再生している端末にレベル３の着信通知を送信す
る（ステップ  Ｓ２０２）。
【００７６】
発信者の重要度が"高"で無い場合（ステップ  Ｓ２０１  Ｎｏ）、発信者の重要度が"
中"であるか否かを判断する（ステップ  Ｓ２０３）。
【００７７】
発信者の重要度が"中"である場合（ステップ  Ｓ２０３  Ｙｅｓ）、ステップＳ２００
にて優先度"高"と判断したコンテンツを再生している端末にレベル２の着信通知を送信す
る（ステップ  Ｓ２０４）。
【００７８】
発信者の重要度が"中"で無い場合（ステップ  Ｓ２０３  Ｎｏ）、発信者の重要度が"
小"であると判断する（ステップ  Ｓ２０５）。
【００７９】
発信者の重要度が"小"であると判断し（ステップ  Ｓ２０５）、ステップＳ２００にて
優先度"高"と判断したコンテンツを再生している端末にレベル１の着信通知を送信する（
ステップ  Ｓ２０６）。
【００８０】
さらに、端末にて再生されているコンテンツの優先度が"低"では無い場合（ステップ  
Ｓ２００  Ｎｏ）、端末にて再生されているコンテンツの優先度が"中"であるか否かを判
断する（ステップ  Ｓ２０７）。
【００８１】
端末にて再生されているコンテンツに割り当てられている優先度が"中"の場合（ステッ
プ  Ｓ２０７  Ｙｅｓ）、ステップＳ１０２にて収集した"夫々の端末が有するアドレス
についての情報"および図７のテーブルを用いて、発信者の重要度が"高"であるか否かを
判断する（ステップ  Ｓ２０８）。
【００８２】
発信者の重要度が"高"である場合（ステップ  Ｓ２０８  Ｙｅｓ）、ステップＳ２０７
にて優先度"中"と判断したコンテンツを再生している端末にレベル２の着信通知を送信す
る（ステップ  Ｓ２０９）。
【００８３】
発信者の重要度が"高"で無い場合（ステップ  Ｓ２０８  Ｎｏ）、発信者の重要度が"
中"であるか否かを判断する（ステップ  Ｓ２１０）。
【００８４】
発信者の重要度が"中"である場合（ステップ  Ｓ２１０  Ｙｅｓ）、ステップＳ２０７
にて優先度"中"と判断したコンテンツを再生している端末にレベル１の着信通知を送信す
る（ステップ  Ｓ２１１）。
【００８５】
発信者の重要度が"中"では無い場合（ステップ  Ｓ２１０  Ｎｏ）、発信者の重要度が
"小"であると判断する（ステップ  Ｓ２１２）。
【００８６】
発信者の重要度が"小"であると判断し（ステップ  Ｓ２１２）、ステップＳ２００にて
優先度"高"と判断したコンテンツを再生している端末に、着信通知を送信せず、留守番電
話録音するように実行する（ステップ  Ｓ２１３）。
【００８７】
さらに、端末にて再生されているコンテンツに割り当てられている優先度が"中"では無
い場合（ステップ  Ｓ２０７  Ｎｏ）、端末にて再生されているコンテンツに割り当てら
れている優先度が"高"であると判断する（ステップ  Ｓ２１４）。
【００８８】
端末にて再生されているコンテンツに割り当てられている優先度が"高"の場合（ステッ
プ  Ｓ２１４）、ステップＳ１０２にて収集した"夫々の端末が有するアドレスについて
の情報"および図７のテーブルを用いて、発信者の重要度が"高"であるか否かを判断する
（ステップ  Ｓ２１５）。
【００８９】
発信者の重要度が"高"である場合（ステップ  Ｓ２１５  Ｙｅｓ）、ステップＳ２１４
にて優先度"高"と判断したコンテンツを再生している端末にレベル１の着信通知を送信す
る（ステップ  Ｓ２１６）。
【００９０】
発信者の重要度が"高"で無い場合（ステップ  Ｓ２１５  Ｎｏ）、発信者の重要度が"
中"であるか否かを判断する（ステップ  Ｓ２１７）。
【００９１】
発信者の重要度が"中"である場合（ステップ  Ｓ２１７  Ｙｅｓ）、ステップＳ２１４
にて優先度"高"と判断したコンテンツを再生している端末に、着信通知を送信せずに、留
守番電話録音するように実行する（ステップ  Ｓ２１８）。
【００９２】
発信者の重要度が"中"で無い場合（ステップ  Ｓ２１７  Ｎｏ）、発信者の重要度が"
低"であると判断する（ステップ  Ｓ２１９）。
【００９３】
発信者の重要度が"低"であると判断し（ステップ  Ｓ２１９）、ステップＳ２１４にて
優先度"高"と判断したコンテンツを再生している端末に、着信通知を送信せずに、留守番
電話録音するように実行する（ステップ  Ｓ２２０）。
【００９４】
このように、ＤＶＤレコーダ３の呼制御部３２は、端末群７から収集した"夫々の端末
にて再生中のコンテンツについての情報"、"夫々の端末が有するアドレスについての情報
"および図７を用いて説明したテーブルを用いて、端末に対して送信する着信通知のレベ
ルを決定する。
【００９５】
端末群７から収集した"夫々の端末にて再生中のコンテンツについての情報"、"夫々の
端末が有するアドレスについての情報"および図７を用いて説明したテーブルを用いるこ
とで、夫々の端末にて再生中のコンテンツの属性および携帯電話５の発信者の属性に応じ
た着信通知のレベルを決定することが可能となる。
【００９６】
次に、ＤＶＤレコーダ３から着信通知を受け取った端末群７が着信拒否を行った場合に
おける、ＤＶＤレコーダ３の動作の一例について説明する。
【００９７】
図１０は、ＤＶＤレコーダ３から着信通知を受け取った端末群７が着信拒否を行った場
合における、ＤＶＤレコーダ３の動作の一例を説明する流れ図である。
【００９８】
ＤＶＤレコーダ３の呼制御部３は、端末群７に対して着信通知信号を発する（ステップ
Ｓ３００）。
【００９９】
ステップＳ３００の処理後、ＤＶＤレコーダ３は、ＤＶＤレコーダ３からの着信通知信
号を受信した端末群７のうち着信拒否の処理をした端末から送信されてきた着信拒否を示
す信号を受信する（ステップ  Ｓ３０１  Ｙｅｓ）。端末にて行われる着信拒否処理とは
、発信端末である携帯電話５から送出された発信信号の受信を拒否する処理である。
【０１００】
ＤＶＤレコーダ３が端末群７のうち着信拒否の処理をした端末から送信されてきた着信
拒否を示す信号を受信しなかった場合（ステップ  Ｓ３０１  Ｎｏ）、発信者の重要度を
維持する（ステップ  Ｓ３０３）。
【０１０１】
ＤＶＤレコーダ３は、端末群７から送信されてきた着信拒否信号を受信した場合（ステ
ップ  Ｓ３０１  Ｙｅｓ）、予め設定されている着信通知レベルを維持するか変更するか
を判断する（ステップ  Ｓ３０２）。
【０１０２】
例えば、図１１に示す設定画面を通じて、ユーザによって予め設定されている着信通知
レベルを維持すると設定されている場合、発信者の重要度を維持すると判断し（ステップ
Ｓ３０２  Ｙｅｓ）、発信者の重要度を維持する（ステップ  Ｓ３０３）。
【０１０３】
図１１に示す設定画面を通じてユーザによって予め設定されている着信通知レベルを変
更すると設定されている場合、予め設定されている着信通知レベルを変更すると判断し（
ステップ  Ｓ３０２  Ｎｏ）、端末群７に着信通知レベルを下げることを問い合わせるか
否かを判断する（ステップ  Ｓ３０４）。
【０１０４】
図１１に示す設定画面を通じてユーザによって着信通知レベルを下げることを問い合わ
せるように予め設定されている場合、端末群７に着信通知レベルを下げることを問い合わ
せる、と判断し（ステップ  Ｓ３０４  Ｙｅｓ）、端末群７に着信通知レベルを下げても
よいか否かを問い合わせる（ステップ  Ｓ３０５）。一方、図１１に示す設定画面を通じ
てユーザによって着信通知レベルを下げることを問い合わせるように予め設定されていな
い場合、端末群７に着信通知レベルを下げることを問い合わない、と判断し（ステップ  
Ｓ３０４  Ｎｏ）、発信者の重要度を下げる（ステップ  Ｓ３０７）。
【０１０５】
ＤＶＤレコーダ３からの着信通知レベルを下げるか否かの問い合わせを受けた端末群７
のうち、着信通知レベルを下げることを許可した端末から送信されてきた信号をＤＶＤレ
コーダ３が受信した場合（ステップ  Ｓ３０６  Ｙｅｓ）、発信者の重要度を下げる。例
えば、発信端末である携帯電話５の発信者が会社関係の人間である場合、例えば図７を用
いて説明したテーブルの"会社関係"の人であるならば重要度を"高"という設定内容を、例
えば"会社関係"の人であるならば重要度を"中"という設定内容に変更する（ステップ  Ｓ
３０７）。
【０１０６】
一方、ＤＶＤレコーダ３からの着信通知レベルを下げるか否かの問い合わせを受けた端
末群７のうち着信通知レベルを下げることを許可した端末から送信されてきた信号をＤＶ
Ｄレコーダ３が受信しなかった場合（ステップ  Ｓ３０４  Ｎｏ）、発信者の重要度を維
持する（ステップ  Ｓ３０３）。
【０１０７】
このように、ＤＶＤレコーダ３から着信通知を受け取った端末群７が着信拒否を行った
場合にＤＶＤレコーダ３が発信者の重要度を下げることで、着信拒否した端末の意思を反
映することが可能となる。
【０１０８】
次に、所定時間内に同一の人から複数回の着信があった場合における呼制御部３２にお
ける処理の一例について説明する。
【０１０９】
図１２は、所定時間内に同一の人から複数回の着信があった場合における呼制御部３２
にて実施される処理の一例を示す流れ図である。
【０１１０】
以下の説明は、図２を用いて説明したＤＶＤレコーダ３に設けられている呼制御部３２
にて実行される処理である。
【０１１１】
携帯電話２からの着信信号があるか否かを判断する（ステップ  Ｓ４００）。携帯電話
２からの着信信号があると判断した場合（ステップ  Ｓ４００  Ｙｅｓ）、ＶＯＩＰ制御
／音声制御部３１を介して、端末群７に対して、夫々の端末が視聴中のコンテンツについ
ての情報をＤＶＤレコーダ３に送信するように要求する（ステップ  Ｓ４０１）。
【０１１２】
ステップＳ４０１の要求に応じて端末群７からＤＶＤレコーダ３に対して情報が送信さ
れる。例えば、上述にて説明した図５に示すような情報が送信される。
【０１１３】
さらに、呼制御部３２は、端末群７に、夫々の端末が有するアドレスについての情報を
ＤＶＤレコーダ３に送信するように要求する（ステップ  Ｓ４０２）。
【０１１４】
ステップＳ４０２の要求に応じて端末群７からＤＶＤレコーダ３に対して情報が送信さ
れる。例えば、上述にて説明した図６に示すような情報が送信される。
【０１１５】
呼制御部３２は、ステップＳ４０１，４０２の呼制御部３２からの要求に応じて端末群
７が送信した情報を収集し、その収集した情報に基づいて、端末群７に対して送信する着
信通知のレベルを決定する（ステップ  Ｓ４０３）。このステップＳ４０３の処理につい
ては、上述にて説明した図９に示す処理手順で実行される。
【０１１６】
呼制御部３２によって着信通知のレベル１，２または３のうちのいずれかに決定された
場合（ステップ  Ｓ４０４  Ｙｅｓ）、呼制御部３２は、ＶＯＩＰ制御／音声制御部３１
を介して、ステップＳ４０３にて決定したレベルを有する着信通知を端末群７に送信する
（ステップ  Ｓ４０６）。
【０１１７】
呼制御部３２によって着信通知のレベル１，２または３のうちのいずれにも決定されず
、留守番電話録音を実行すると決定された場合（ステップ  Ｓ４０４  Ｎｏ）、所定の時
間内に同一の発信者からの所定回数以上の発信信号の受信があったか否かを判断する（ス
テップ  Ｓ４０５）。所定の時間とは、例えば、呼制御部３２がネットワーク１を介して
発信端末である携帯電話５からの発信信号を受信した時点から所定の時刻までの時間であ
る。
【０１１８】
所定の時間内に同一の発信者からの所定回数以上の発信信号の受信があったと判断した
場合（ステップ  Ｓ４０５  Ｙｅｓ）、予め設定されている着信通知レベルである留守番
電話録音モードを維持するか変更するかを判断する（ステップ  Ｓ４０７）。
【０１１９】
例えば、図１３に示す設定画面を通じて、ユーザによって予め設定されている着信通知
レベルを維持する、すなわち、留守番電話モードを維持すると設定されている場合、留守
番電話モードを維持すると判断し（ステップ  Ｓ４０７  Ｙｅｓ）、留守番電話モードを
維持する。
【０１２０】
一方、図１３に示す設定画面を通じてユーザによって予め設定されている着信通知レベ
ルを変更する、すなわち、留守番電話モードから端末群７に対して着信通知を行う着信通
知モードに変更すると設定されている場合、留守番電話モードから着信通知モードに変更
すると判断し（ステップ  Ｓ４０７  Ｎｏ）、端末群７に対して、携帯電話５のユーザか
ら所定の回数、電話がかかってきた旨を通知する（ステップ  Ｓ４０８）。
【０１２１】
図１３に示す設定画面を通じて、留守番電話モードから着信通知モードに変更してもよ
いか否かを端末群７に問い合わせるように予め設定されている場合、留守番電話モードか
ら着信報知モードに変更することを端末群７に問い合わせる、と判断し（ステップ  Ｓ４
０９  Ｙｅｓ）、端末群７に着信通知レベルを下げてもよいか否かを問い合わせる（ステ
ップ  Ｓ４１０）。
【０１２２】
一方、図１３に示す設定画面を通じて、留守番電話モードから着信通知モードに変更し
てもよういか否かを端末群７に問い合わせるように予め設定されていない場合、留守番電
話モードから着信通知モードに変更するか否かについて端末群７に問い合わせない、と判
断し（ステップ  Ｓ４０９  Ｎｏ）、留守番電話モードから着信通知モードに変更する（
ステップ  Ｓ４１２）。
【０１２３】
ステップＳ４１０の問い合わせを受けた端末群７から、着信を通知するモードに変更し
てよいことを示す信号を受信した場合（ステップ  Ｓ４１１  Ｙｅｓ）、留守番電話モー
ドから着信通知モードに変更する（ステップ  Ｓ４１２）。
【０１２４】
留守番電話モードから着信通知モードに変更した場合、例えば、着信通知のレベルを１
乃至３のうちの一番レベルの低い着信レベル１を設定し、この設定したレベルの着信信号
を端末群７に送信する（ステップ  Ｓ４１３）。
【０１２５】
このように、所定時間内に同一発信者から所定回数以上の発信信号の受信があった場合
は留守番電話録音を実行するように設定されていても例えば着信通知のレベルのうちの低
いレベルに再設定してその再設定したレベルを有する着信信号を端末に送信することで、
所定時間内に所定回数以上の発信を行った発信者の端末群７との通信を実行したいという
意向を反映することが可能となる。また、端末群７は、所定期間内に所定回数以上発信し
てきた発信端末である携帯電話５と通信することが可能となる。
【０１２６】
次に、端末群７が呼制御部３２からの着信信号を受信し、発信端末である携帯電話５と
のコミュニケーションを確立するための着信操作を行った場合における、端末群７に設け
られるスピーカから放出される音のボリュームのコントロールについて説明する。
【０１２７】
図１４は、発信端末である携帯電話５とのコミュニケーションを確立するための着信操
作を行った場合における、端末群７に設けられるスピーカから放出される音のボリューム
のコントロール手順の一例を示す図である。
【０１２８】
呼制御部３２が、端末群７のユーザが発信端末である携帯電話５とのコミュニケーショ
ンを確立するための着信操作を行うことで端末群７から送信された着信操作が行われたこ
とを示す信号を受信する（ステップ  Ｓ５００）。
【０１２９】
呼制御部３２は、ステップＳ５００にて、着信操作が行われたことを示す信号を受信し
た後、例えば、図７に示すテーブルを参照して、発信者の重要度が"高"または"中"と設定
されているかを判断する（ステップ  Ｓ５０１）。
【０１３０】
発信者の重要度が"高"または"中"と設定されている場合（ステップ  Ｓ５０１  Ｙｅｓ
）、端末群７にＶｏｌｕｍｅ  Ｄｏｗｎを実行する旨を通知する（ステップ  Ｓ５０２）
。
【０１３１】
さらに、端末群７にＶｏｌｕｍｅ  Ｄｏｗｎ信号を送信する（ステップ  Ｓ５０３）。
【０１３２】
このように、発信者の重要度が高い場合に、端末群７側で発信端末とのコミュニケーシ
ョンを確立させるための着信操作がなされると端末側の音のボリュームを下げることで、
大きいボリュームの音による重要度の高い発信者とのコミュニケーションの妨げを回避す
ることが可能となる。
【０１３３】
次に、自分が携帯している例えば携帯電話といった携帯機器に呼制御部３２から着信通
知を発信する手順について説明する。
【０１３４】
図１５は、自分が携帯している例えば携帯電話といった携帯機器に着信通知を発信する
手順を示す流れ図である。
【０１３５】
呼制御部３２は、携帯電話２からの着信信号があると判断した場合、発信者の重要度が
"高"と設定されているか否かを確認する（ステップ  Ｓ６０１）。呼制御部３２は、例え
ば、図７に示すテーブルを参照して、発信者の重要度の値がどのように設定されているの
かを確認する。
【０１３６】
呼制御部３２が図７に示すテーブルを参照した結果、発信者の重要度が"高"と設定され
ていると判断した場合（ステップ  Ｓ６０１  Ｙｅｓ）、自分が携帯している携帯電話と
いった携帯機器に着信通知信号を発信する（ステップ  Ｓ６０２）。
【０１３７】
発信者の重要度が"高"と設定されている場合に、ユーザの携帯する携帯機器に着信信号
を送信することで、重要度の高い発信者からの着信信号を確実にユーザの携帯する携帯機
器に伝送することが可能となる。
【０１３８】
次に、録画予約しているコンテンツをリアルタイムに視聴する場合における視聴内容の
優先度変更の手順について説明する。
【０１３９】
図１６は、録画予約しているコンテンツをリアルタイムに視聴、または追いかけて視聴
する場合における視聴内容の優先度変更の一例について説明する流れ図である。
【０１４０】
端末群７中の端末にてコンテンツがリアルタイムに、または追いかけて再生されている
場合（ステップ  Ｓ７００）、ＤＶＤレコーダ３は、そのコンテンツに対して録画予約が
なされているか否かを判断する（ステップ  Ｓ７０１）。
【０１４１】
リアルタイムまたは追いかけて再生されているコンテンツに対して録画予約がなされて
いる場合（ステップ  Ｓ７０１  Ｙｅｓ）、図７に示すテーブルには、リアルタイム視聴
重視のコンテンツに対して、優先度が"高"と設定されているが、"中"に再設定する（ステ
ップ  Ｓ７０２）。
【０１４２】
リアルタイムに視聴中のコンテンツに対して録画予約が既になされている場合、そのコ
ンテンツが再生中のリアルタイム以外の時間に視聴することが可能となるために、例えば
コンテンツの優先度を"高"から"低"というように、優先度を下げることが可能となる。
【０１４３】
次に、録画したコンテンツの優先度変更の手順について説明する。
【０１４４】
図１７は、録画したコンテンツの優先度変更の手順の一例について説明する流れ図であ
る。
【０１４５】
ＤＶＤレコーダ３は、録画したコンテンツの再生が、録画日から所定期間以内になされ
たか否かを判断する（ステップ  Ｓ８００）。
【０１４６】
録画したコンテンツの再生が、録画日から所定期間以内になされていないと判断した場
合（ステップ  Ｓ８００  Ｎｏ）、録画したコンテンツの優先度を"低"に設定する（ステ
ップ  Ｓ８０１）。このように設定する理由は、録画したコンテンツが所定期間よりも後
日に再生されたことから、コンテンツ再生の必要性が低いとみなすことによる。
【０１４７】
一方、録画したコンテンツの再生が、録画日から所定期間以内になされたと判断した場
合（ステップ  Ｓ８００）、録画したコンテンツの再生が、録画日から所定期間内に視聴
する必要があるコンテンツであるか否かを判断する（ステップ  Ｓ８０２）。
【０１４８】
録画したコンテンツの再生が、録画日から所定期間内に視聴する必要なコンテンツでは
無いと判断した場合（ステップ  Ｓ８０２  Ｎｏ）、録画したコンテンツの優先度を"中"
に設定する（ステップ  Ｓ８０３）。
【０１４９】
このように設定する理由は、録画したコンテンツが所定期間内に再生されたものの、所
定期間内に視聴されなかった、すなわち、早急に視聴される必要性が低いとみなすことに
よる。
【０１５０】
一方、録画したコンテンツの再生が、録画日から所定期間内に視聴する必要なコンテン
ツであると判断した場合（ステップ  Ｓ８０２  Ｙｅｓ）、録画したコンテンツの優先度
を"高"に設定する（ステップ  Ｓ８０４）。
【０１５１】
このように設定する理由は、録画したコンテンツが所定期間内に再生されたものの、所
定期間内に視聴された、すなわち、早急に視聴される必要性が高いとみなすことによる。
【０１５２】
本発明は上記実施形態をそのままに限定されるものではなく、実施段階ではその要旨を
逸脱しない範囲で構成要素を変形して具体化できる。また、上記実施形態に開示されてい
る複数の構成要素の適宜な組み合わせにより、種々の発明を形成できる。例えば、実施形
態に示されている全構成要素から幾つかの構成要素を削除してもよい。さらに、異なる実
施形態にわたる構成要素を適宜組み合わせてもよい。
【図面の簡単な説明】
【０１５３】
【図１】本発明を構成するシステム群の一例を示す図。
【図２】ＤＶＤレコーダ３の機能ブロック図の一例を示す図。
【図３】端末群７の機能ブロック図の一例を示す図。
【図４】端末群７への着信通知制御の手順の一例を示す流れ図。
【図５】端末群７から収集した視聴コンテンツ情報の一例を示す図。
【図６】端末群７から収集したアドレス情報の一例を示す図。
【図７】ステップＳ１０３にて呼制御部３２が着信通知のレベルを決定するために用いられるテーブル。
【図８】着信通知のレベルの値の一例を示すテーブル。
【図９】図４のステップＳ１０３の処理について詳細に説明する流れ図。
【図１０】ＤＶＤレコーダ３から着信通知を受け取った端末群７が着信拒否を行った場合における、ＤＶＤレコーダ３の動作の一例を説明する流れ図。
【図１１】設定画面の一例。
【図１２】所定時間内に同一の人から複数回の着信があった場合における呼制御部３２における処理の一例を示す流れ図。
【図１３】設定画面の一例。
【図１４】発信端末である携帯電話５とのコミュニケーションを確立するための着信操作を行った場合における、端末群７に設けられるスピーカから放出される音のボリュームのコントロール手順の一例を示す図。
【図１５】自分が携帯している例えば携帯電話といった携帯機器に着信通知を発信する手順を示す流れ図。
【図１６】録画予約しているコンテンツをリアルタイム、または追いかけて視聴する場合における視聴内容の優先度変更の一例について説明する流れ図。
【図１７】録画したコンテンツの優先度変更の手順の一例について説明する流れ図。
【符号の説明】
【０１５４】
１…ネットワーク、２…携帯電話、３…ＤＶＤレコーダ、４…携帯電話、
５…デジタルテレビ、６…コンピュータ、７…端末群、
【図１】
2009111918.tif 000003
【図２】
2009111918.tif 000004
【図３】
2009111918.tif 000005
【図４】
2009111918.tif 000006
【図５】
2009111918.tif 000007
【図６】
2009111918.tif 000008
【図７】
2009111918.tif 000009
【図８】
2009111918.tif 000010
【図９】
2009111918.tif 000011
【図１０】
2009111918.tif 000012
【図１１】
2009111918.tif 000013
【図１２】
2009111918.tif 000014
【図１３】
2009111918.tif 000015
【図１４】
2009111918.tif 000016
【図１５】
2009111918.tif 000017
【図１６】
2009111918.tif 000018
【図１７】
2009111918.tif 000019